(57)【要約】【課題】  画像が表現されている画像体を照射する色に変化を持たせたり、照射対象である画像体を異ならせたりすることによって、画像体に表現されている画像があたかも時間の変化とともに変化しているかのように映すことのできる画像表示具を提供する。【解決手段】  複数の画像体２、４、５を富士山をモチーフとした絵でレーザー加工技術によってマーキングし、複数の画像体によって朝、昼、夜の雰囲気をかもしだすように光の照射制御を行う。これにより、表現媒体である画像体を包み込んでいる空間の雰囲気に合った画像を表示する。【選択図】  図２
2005321729.tif 000002
【特許請求の範囲】
【請求項１】
所定の画像がマーキングされている画像体と、
該画像体を光によって照射する照射手段と、
該照射手段の照射態様を制御する制御手段と、
該画像体を支持する支持体と、
を備えたことを特徴とする画像表示具。
【請求項２】
所定の画像が描かれたシートと、
該シートが貼付された画像体と、
該画像体を光によって照射する照射手段と、
該照射手段の照射態様を制御する制御手段と、
該画像体を支持する支持体と、
を備えたことを特徴とする画像表示具。
【請求項３】
前記制御手段は、タイマーを備え、
該タイマーに基づき前記照射手段の照射態様を制御することを特徴とする請求項１又は２記載の画像表示具。
【請求項４】
前記画像体は複数枚からなり、
画像体と画像体の間に遮光体を配置し、該遮光体は通電することによって光を透過し、非通電時は光の透過を遮断するものであり、
前記制御手段は、前記照射手段の前記制御に加えて、前記遮光体への通電を制御するように構成したことを特徴とする請求項１又は２記載の画像表示具。
【請求項５】
前記制御手段は、タイマーを備え、
該タイマーに基づき前記照射手段の照射態様及び前記遮光体への通電を制御することを特徴とする請求項４記載の画像表示具。
【発明の詳細な説明】
【技術分野】
【０００１】
本発明は、画像表示具に係り、詳しくは、画像が表現されている画具を照射する光の色に変化を持たせたり、照射する画具を異ならせたりすることによって、画具に表現されている画像が例えばあたかも時間の変化とともに変化しているかのように映すことのできる画像表示具に関する。
【背景技術】
【０００２】
従来の画具としては、絵画、版画や写真などがある。
これらの画具は、玄関、応接間、居間や書斎などのあらゆる居住空間に、なんら手を加えられることなく直接に飾られることによって、あるいは、額縁に入れられたり、直接貼り付けられたりするなどして飾られることによって、人にそれらの画具を鑑賞する楽しみを与え、生活空間に潤いを与えてきた。
また、毛色の変わった画具としては、次の特許文献に記載のものがある。
【０００３】
【特許文献１】登録実用第３００４７４６号公報  この文献においては、１つの絵を遠近に応じて複数に分割し、これらの分割した絵をそれぞれ別個の透明基板に描き、遠近に応じてそれらの透明基板を重ね合わせて額縁内に収める技術が開示されている。
【発明の開示】
【発明が解決しようとする課題】
【０００４】
ところで、従来の画具においては、表現媒体に画像が固定されていたため、表現媒体である画具を包み込んでいる空間の雰囲気に合った画像を表示することができないという問題点があった。
例えば、絵画、版画やポスターなどにあっては、風景や人物像などの画像は、キャンバス、木板や紙などの表現媒体にいわば貼り付けられた状態のものであったため、変化する空間の雰囲気に応じて画像自体が変化することができないという問題点があった。
また、先に引用した文献の画具にあっては、遠近を付けることによって画像の表情の趣きを高めることはできても、変化する空間の雰囲気に応じて画像自体が変化することができないという問題点があった。
【０００５】
本発明は、以上に述べたような問題点に鑑みてなされたものであり、画像が表現されている画像体を照射する色に変化を持たせたり、照射対象である画像体を異ならせたりすることによって、画像体に表現されている画像があたかも時間の変化とともに変化しているかのように映すことのできる画像表示具を提供することを目的とする。
【課題を解決するための手段】
【０００６】
上記課題を解決するため、請求項１に記載の画像表示具は、所定の画像がマーキングされている画像体と、
該画像体を光によって照射する照射手段と、
該照射手段の照射態様を制御する制御手段と、
該画像体を支持する支持体と、
を備えたことを特徴とする。
【０００７】
請求項２に記載の画像表示具は、所定の画像が描かれたシートと、
該シートが貼付された画像体と、
該画像体を光によって照射する照射手段と、
該照射手段の照射態様を制御する制御手段と、
該画像体を支持する支持体と、
を備えたことを特徴とする。
【０００８】
請求項３に記載の画像表示具は、前記制御手段は、タイマーを備え、
該タイマーに基づき前記照射手段の照射態様を制御することを特徴とする。
【０００９】
請求項４に記載の画像表示具は、前記画像体は複数枚からなり、
画像体と画像体の間に遮光体を配置し、該遮光体は通電することによって光を透過し、非通電時は光の透過を遮断するものであり、
前記制御手段は、前記照射手段の前記制御に加えて、前記遮光体への通電を制御するように構成したことを特徴とする。
【００１０】
請求項５に記載の画像表示具は、前記制御手段は、タイマーを備え、
該タイマーに基づき前記照射手段の照射態様及び前記遮光体への通電を制御することを特徴とする。
【発明の効果】
【００１１】
本発明によれば、制御手段によって、画像体に光を照射する照射手段の照射態様を制御するので、画像体を照射する色に変化をもたせることができるとともに、照射すべき画像体の表現を異ならせるものにすることができ、表現媒体である画像体（画具）を包み込んでいる空間の雰囲気に合った画像を表示することができる。
例えば、画像体に表現されている画像があたかも時間の変化とともに変化しているかのような視覚的効果を得ることができる。
特に、変化する空間の雰囲気に応じて、画像自体から受ける印象を変化させることができる。
【発明を実施するための最良の形態】
【００１２】
以下、図面を参照して本発明の画像表示具を実施するための最良の形態について説明する。
（第１の実施の形態）
Ａ．構成
まず、図１〜図６を用いて、本実施形態の画像表示具の構成について説明する。
図１は、本発明の画像表示具を、家庭内やオフィスなどで飾ることができる程度の大きさで、具体的には１０号（４５．５×５３（ｃｍ））の大きさで実施した画像表示具の正面図を示すものである。
図１において１は画像表示具であり、画像表示具１は、画像体２と画像体２を支持する支持体としての額縁３とから構成されている。画像体２は額縁３に収納されていると言っても良い。
なお、支持体は額縁のようなものに限る必要はなく、その他の機構であってもよい。例えば、画像体自体が独立して立脚するようなものであれば、単に軽く支持するような構造であってもよい。要は、画像体２を如何に光の照射で表現するかに鑑みて、相応しい支持構造にすればよい。
【００１３】
画像体２の材質はクリスタルであり、画像体２には、その表面でなく内部に、雪化粧した初冬の富士山の朝焼けをモチーフとした絵が特殊なレーザー加工技術によってマーキングされている。なお、画像体２の材質は、クリスタルに限られるものではなく、フロートガラスやアクリルなどの透明なものであっても良い。
ここで、画像体２の内部にマーキングしているのは、視覚的効果を高めるためである。すなわち、画像体２に光を照射したときに光によってマーキング部分が投影的に反射・透過する等して人に与える印象が幻想的なものとなるので、このような幻想的な視覚効果を得るために内部マーキング処理を施している。
このように、視覚的効果という観点からは内部マーキングが望ましいものの、内部マーキングでなく外部マーキングであっても良い。つまり、画像体２の表面にマーキングする形態であっても良い。
また、マーキング処理を施すのでなく、絵が描かれたシートを画像体２の表面に貼付する構成としても良い。
【００１４】
ところで、図１で視認することができる画像体は画像体２だけであるが、表現されている画像があたかも時間の変化とともに変化しているかのような視覚的効果を醸し出すために、額縁３の内部には、この画像体２の他にも、同一の富士山を時間を変えて描いた画像体がもう２枚、画像体２の背後に納められている。
これらの異なるもう２枚の画像体を示したものが図２である。すなわち、図２（ａ）は上述した朝焼けの富士山をモチーフとした画像体２であるが、この他にも額縁３の内部には、図２（ｂ）で示されている昼バージョン（太陽が富士山を昼間に照している）としてマーキングした画像体４、及び、図２（ｃ）で示されている夜バージョン（月が富士山を照らしている）としてマーキングした画像体５が納められている。
【００１５】
図３は、画像体２の周囲の構造を示すものである。
図３において、６は基板であり、基板６は画像体２が額縁３内でズレないように固定するための役割を果たしている。そして、基板６上には、照射手段として発光ダイオード７〜１４が設けられている。
図示することは省略するが、以上のような画像体２を取り囲む構造と同様の下で、画像体４及び画像体５をそれぞれ照射する手段としても発光ダイオードが設けられている。
【００１６】
ところで、本実施形態は、後述するように３つの異なる画像体２、４、５について、あるときは画像体２が照らされているかのように、またあるときは画像体４や５が照らされているかのように映し出すことの他、朝・昼・晩という異なる時間帯に応じた適切な色で画像体を照射することによって画像表示具を取り囲んでいる「場」の雰囲気を高めることを意図している。
【００１７】
そこで、画像体２、４、５を照射する手段としては、それぞれに異なる色を発光するものを用いている。
すなわち、発光ダイオード７〜１４には朝焼けの雰囲気を醸し出すために赤色発光のものを用いている一方、画像体４及び画像体５を照射する手段としての発光ダイオードには黄色発光及び青色発光のものをそれぞれ用いることによって、昼ないし夜の雰囲気を最大限に引き出している。
【００１８】
図４は、図１を、図３で触れた発光ダイオード９、１４を通るような線で切った場合の断面図の一部を示すものである。
図４において、１５は電子的に光の透過／不透過の制御が可能な所定のスリガラス（遮光体）であり、スリガラス１５は通電することによって光を通す性質のものを用い
ている。なお、非通電時は光の透過を遮断する。
【００１９】
本実施形態では、図４で端的に示されているよう、２枚のスリガラスによって仕切られることによって、画像体等が３層構造となって重ね合わされている。
すなわち、スリガラス１３より前にある、画像体２や基板６や赤色発光ダイオード９、１４などから成る層を第１層と呼ぶとすると、第２層目としては、画像体４や基板１６、黄色発光ダイオード１７、１８などが設けられており、この第２層目の背面にスリガラス１９が設けられている。そして、第３層目としては、画像体５や基板２０や青色発光ダイオード２１、２２などが設けられている。
【００２０】
図５は、以上で述べたような内部構造を有する本実施形態の画像表示具１を背面から見たものである。
図５において２３は裏板で、裏板２３には、電池収納ボックス２４が備えられており、単三電池２７、２８が電池収納ボックス２４内に収められた状態となっている。
２９は２路切換え式の入力切換えスイッチであり、入力切換えスイッチ２９は電源のオン・オフの切り換えを行うものである。
３０は後述する３つの状態の切換えを行う切換えボタンである。
以上のような構成を有している裏板２３を、ビス２９〜３４で固定している。
【００２１】
Ｂ．電気系統の構成
次に、電気系統の構成について説明する。
図６は、本実施形態の電気系統に関するブロック図である。
図６において３５は入力部であり、この入力部３５には、入力切換えスイッチ２７と切換えボタン３０とが含まれる。
入力部３５から発せられた信号はＣＰＵ３６に送られ、ＣＰＵ３６は当該信号に基づいて照射手段たる発光ダイオードを制御するために必要な処理を行う。なお、ＣＰＵ３６はクロック回路と共にタイマーを内蔵している。そして、ＣＰＵ３６はタイマーに基づき、複数の画像体２で表現される画像の表示態様を時間の経過に従って異なる態様に変化させるように照射手段の照射態様を制御する処理を行う。ＲＯＭ３７には光の照射制御に関するプログラムや必要なデータが格納されており、また、ＲＡＭ３８はデータの一時記憶等を行う。
【００２２】
ＣＰＵ３６によって演算された処理内容は制御信号としてドライバ３９に送られ、ドライバ３９は該信号に従って、第１層ＬＥＤ４０、第２層ＬＥＤ４１、第３層ＬＥＤ４３や、スリガラス１５、１９を駆動する。例えば、各ＬＥＤ４０〜４３は通電されるとそれぞれが対応する光を照射し、通電が停止すると照射を止める。また、スリガラス１５、１９はドライバ３９からの信号に基づいて光の透過／不透過を行う。
【００２３】
ここに、第１層ＬＥＤ４０とは、基板６上にある全てのＬＥＤのことを指し、具体的には赤色発光ダイオード７〜１４のことである。また、第２層ＬＥＤ４１とは、基板１６上にある全てのＬＥＤのことを指し、具体的には黄色発光ダイオード１７、１８がこれに当たる。さらに、第３層ＬＥＤ４２とは、基板２２上にあるＬＥＤのことを指し、具体的には、青色発光ダイオード２１、２２がこれに当たる。
【００２４】
以上のような電気系統に関する構成は、本実施形態では、ワンチップのマイクロ・コンピュータによって実現されており、該マイクロ・コンピュータは画像体５と裏板２３の間に、基盤として形成されて設けられている。
上記ワンチップのマイクロ・コンピュータ、２路切換え式の入力切換えスイッチ２９及び切換えボタン３０は制御手段を構成する。
なお、本実施の形態では制御手段をワンチップのマイクロ・コンピュータを含めて実現しているが、制御方法はこれに限られるものではない。例えば、ＣＰＵを用いずに、単にワイヤードロジック回路により電子的な基盤で実現してもよい。
【００２５】
Ｃ．作用
次に、作用について説明する。
本実施の形態では、複数の画像体によって朝、昼、夜の雰囲気を醸し出すように光の照射制御が行われる。
（ａ）朝
まず、朝の表情を出すために、入力切換えスイッチ２９をオン側にする。
そうすると、第１層の発光ダイオードの全て（発光ダイオード５〜１２）についてのみ電気が流れる状態となる。換言すれば、スリガラス１３、１９にも、また、第２層の発光ダイオード（発光ダイオード１７、１８の他、図示省略の同一クリスタル基板１６上に設けられた６つの発光ダイオード）にも、第３層の発光ダイオード（発光ダイオード２３、２４の他、図示省略の同一クリスタル基板２２上に設けられた６つの発光ダイオード）にも電気は流れない。以下、便宜のために、上述したこの状態を第１状態と呼ぶ。
このとき、第１層の発光ダイオード５〜１２は赤色発光で画像体を照射し、朝焼けの雰囲気が醸し出され、特に朝日が昇る様子が印象深く表される。
【００２６】
（ｂ）昼
電源がオンされたこの第１状態になった時から８時間経過すると、第１層のこれらの発光ダイオードには電気が流れなくなり、スリガラス１３に電気が流れるとともに、第２層の発光ダイオードの全てに電気が流れる状態となる。なお、スリガラス１９にも、第３層の発光ダイオードにも電気は流れない。以下、便宜のために、上述したこの状態を第２状態と呼ぶ。
このとき、第２層の発光ダイオードは黄色発光で画像体を照射し、昼間の雰囲気が醸し出され、特に太陽が富士山を昼間に照している印象が深く表される。
【００２７】
（ｃ）夜
この第２状態になった時から８時間経過すると、第１層および第２層の発光ダイオードには電気が流れなくなり、スリガラス１３、１９に電気が流れるとともに、第３層の発光ダイオードの全てに電気が流れる状態となる。以下、便宜のために、この状態を第３状態と呼ぶ。
このとき、第３層の発光ダイオードは青色発光で画像体を照射し、夜間の雰囲気が醸し出され、特に夜間に月が富士山の背後にいる印象が深く表される。
この第３状態から８時間経過すると、スリガラス１３、１９には電気が流れず、また、第２層及び第３層の発光ダイオードにも電気が流れず、第１層の発光ダイオードの全てについてのみ電気が流れる状態となる。すなわち、第１状態に戻る。
【００２８】
以降、同様の処理が繰り返し行われるよう、マイクロ・コンピュータによって制御されている。
このように、本実施形態では照射手段たる発光ダイオードの照射時間がマイクロ・コンピュータによってタイマー制御されて、画像体を照射する色に変化をもたせて、画像体の表現を異ならせるものにし、表現媒体である画像体を包み込んでいる空間の雰囲気に合った画像を表示することができる。
【００２９】
なお、電気をどこに流すかという点について、以上のように３つの状態があるところであるが、切換えボタン３０を押すことによって割込みがかかり、時間が８時間経過することを待たずに次の状態へと遷移して行く。
すなわち、第１状態の下で切換えボタン３０を押すと直ちに第２状態へと移り、第２状態の下で切換えボタン３０を押すと直ちに第３状態へと移り、第３状態の下で切換えボタン３０を押すと直ちに第１状態へと戻る。
【００３０】
このように、本実施形態は、照射手段たる発光ダイオードの照射時間を切換えボタン３０の割込みによってマイクロ・コンピュータへの指令を変化させて制御することもできるものである。このようにすると、人の操作によって細かく画像体の印象を変化させることができるという利点がある。
以上のような制御を通じて、第１状態においては画像体１が赤色の明りで照らされ、第２状態においては画像体１４が黄色の明りで照らされ、第３状態においては画像体２０が青色の明りで照らされる。
したがって、時間の変化とともに、あたかも画像体に表示されている画像が１日の時間経過に従って変化しているかのように映し出される。
【００３１】
（第２の実施の形態）
次に、本発明の第２の実施の形態について説明する。
図７は本発明の第２の実施の形態を示す図であり、特に画像体と照射手段たる発光ダイオードについて示している。なお、制御手段及び支持体については図示を略している。
図７（ａ）において、５１〜５３は何れも同一の富士山の画像がマーキングされた画像体であり、前記実施の形態と同様に支持体に固定されている。画像体５１に対して照射手段たる発光ダイオード６１〜６４が所定の光を照射可能に配置されている。例えば、発光ダイオード６１は赤色、発光ダイオード６２は黄色、発光ダイオード６３は青色、発光ダイオード６４は紫色のようになっている。
【００３２】
同様に、図７（ｂ）に示すように、画像体５２に対して照射手段たる発光ダイオード７１〜７４が所定の光を照射可能に配置されており、例えば発光ダイオード７１は赤色、発光ダイオード７２は黄色、発光ダイオード７３は青色、発光ダイオード７４は紫色のようになっている。
また、図７（ｃ）に示すように、画像体５３に対して照射手段たる発光ダイオード８１〜８４が所定の光を照射可能に配置されており、例えば発光ダイオード８１は赤色、発光ダイオード８２は黄色、発光ダイオード８３は青色、発光ダイオード８４は紫色のようになっている。
図７（ｄ）は各画像体５１〜５３及び照射手段を共重ねて配置した例を示している。
【００３３】
以上の構成において、この実施の形態では同一の富士山の画像体５１〜５３に対してどの発光ダイオードを点灯させるか、あるいは点灯時間を制御するかによって画像の雰囲気を変化させる。
例えば、画像体５１に対して発光ダイオード６１を赤色で点灯し、その他は点灯を停止する。そうすると、いわゆる「赤富士」のような表情がかもし出される。
また、画像体５２に対して発光ダイオード７３を青色で点灯し、その他は点灯を停止する。そうすると、いわゆる「青富士」のような表情がかもし出される。
また、画像体５３に対して発光ダイオード８４を紫色で点灯し、その他は点灯を停止する。そうすると、いわゆる「紫富士」のような表情がかもし出される。
【００３４】
なお、２つ以上の発光ダイオードを一緒に点灯させて、光を合成するように制御してもよい。あるいは発光ダイオードの照射時間、間隔等を変化させても、違った表情がかもし出される。
このように、同じ富士山の画像を複数用意しておいて、発光ダイオードの光等を変化させることにより、画像の表情を異なるものに印象付けて雰囲気を変化させることができる。
【００３５】
（第３の実施の形態）
次に、本発明の第３の実施の形態について説明する。
図８は本発明の第３の実施の形態を示す図であり、これはモチーフを変えた例である。図８においては画像体と照射手段たる発光ダイオードについて示し、制御手段及び支持体については図示を略している。
図８に示すモチーフはオーロラである。９１〜９３はオーロラの画像をマーキングした画像体であり、何れも同一のオーロラ画像がマーキングされて前記実施の形態と同様に支持体に固定されている。
なお、オーロラ画像は同一でなく、異なる画像をマーキングしてもよいし、その場合は図８とは異なる表情がかもし出されることになる。
【００３６】
図８（ａ）において、画像体９１に対して照射手段たる発光ダイオード１０１〜１０４が所定の光を照射可能に配置されている。例えば、発光ダイオード１０１は赤色、発光ダイオード１０２は黄色、発光ダイオード１０３は青色、発光ダイオード１０４は紫色のようになっている。
以下同様に、図８（ｂ）、図８（ｃ）にそれぞれ示すように、画像体９２に対して照射手段たる発光ダイオード１１１〜１１４が、また画像体９３に対して照射手段たる発光ダイオード１２１〜１２４がそれぞれ赤色、黄色、青色、紫色を照射するように配置されている。
【００３７】
以上の構成において、この実施の形態では同一のオーロラの画像体９１〜９３に対してどの発光ダイオードを点灯させるか、あるいは点灯時間を制御するかによって画像の雰囲気を変化させる。したがって、オーロラのような幻想的な雰囲気を光の照射がかもし出すことができる。
このような効果は、従来文献に記載のように単に１つの絵を遠近に応じて複数に分割し、これらの分割した絵をそれぞれ別個の透明基板に描き、遠近に応じてそれらの透明基板を重ね合わせて額縁内に収めるような技術と異なり、光によってオーロラの持つ雰囲気を演出できるという本発明独自のものであり、人に与える印象を強烈にして画像の特性を引出せるという優れた効果を奏するものである。
【００３８】
（その他の実施の形態）
以上３つの実施形態においては、何れの形態においても画像体を３枚用いたが、用いる画像体の数はその他の枚数であっても良い。
例えば、画像がマーキングされ、又は画像が描かれたシートが貼付されている画像体を１枚だけ用い、これを照射する照射手段を一色でなく複数色で照射可能な構成として、これら複数色の内の一部又は全部が、時間の変化によって照射し又は照射しないように制御しても良い。
また、画像体に直接マーキングされ又はシートを介して描かれている画像としては、何れの形態においても風景を用いたが、風景画でなくても人物画、リトグラフあるいは書であっても良い。
また、画像体の大きさは室内で用いられるのに適当な大きさのものとしたが（具体的には１０号）、この大きさに限られるものではない。
例えば、ホテルや会議場などの大型施設内の広い空間で用いる場合には、サイズを大きくして実施することも可能である。逆に、机の上に飾るものとして小さいサイズで実施することも勿論可能である。
また、本発明の画像体を屋外で用いることも可能である。例えば、屋外で表札や広告塔として用いることが可能である。このように屋外で用いる場合には、防水加工をするなど適宜設計変更すればよい。
【００３９】
なお、本実施形態に示した具体的態様以外の態様についても、本発明の目的の範囲内で各種の変形実施、変形的な構成が可能である。そして、出願人はこのような変形実施等を排除する意思を有していないので、特許請求の範囲を解釈する際には当該各種の変形態様も含まれるものとして解されなければならない。
【図面の簡単な説明】
【００４０】
【図１】本発明の一実施の形態の画像表示具の正面図である。
【図２】複数の画像体を示す図である。
【図３】画像体の周囲の構造を示す図である。
【図４】画像表示具の断面図である。
【図５】画像表示具の背面図である。
【図６】画像表示具の電気系統を示す図である。
【図７】本発明の第２の実施の形態の画像表示具を示す図である。
【図８】本発明の第３の実施の形態の画像表示具を示す図である。
【符号の説明】
【００４１】
１、４、５  画像体
３  額縁（支持体）
７〜１４  赤色発光ダイオード（照射手段）
１５、１９  スリガラス（遮光体）
１７、１８  黄色発光ダイオード（照射手段）
２１、２２  青色発光ダイオード（照射手段）
３６  入力部（制御手段）
３７  ＣＰＵ（制御手段）
３８  ＲＯＭ（制御手段）
３９  ＲＡＭ（制御手段）
４０  ドライバ（制御手段）
【図１】
2005321729.tif 000003
【図２】
2005321729.tif 000004
【図３】
2005321729.tif 000005
【図４】
2005321729.tif 000006
【図５】
2005321729.tif 000007
【図６】
2005321729.tif 000008
【図７】
2005321729.tif 000009
【図８】
2005321729.tif 000010